(57)【要約】【課題】目の不自由な人であっても容易に使用することができ、また、暗い環境での爪切りや子供の爪を切るに際しても深爪することなく安全確実に爪を切ることができる爪切り器を提供すること。【解決手段】指先を当接させるために凹状に湾曲形成されていると共にその湾曲面に弧状の爪挿入溝が形成されていて、該爪挿入溝の奥部側下縁に切断刃が形成されている湾曲板状の固定刃部材と、該固定刃部材の裏面側に沿ってスライド昇降できるように湾曲面が形成されると共に該湾曲面の下縁に前記切断刃に対応する湾曲した切断刃を有し、スライド降下することにより前記爪挿入溝から突出する爪部分を剪断するようになっている可動刃部材とを備えている。【選択図】          図１
2004313316.tif 000002
【特許請求の範囲】
【請求項１】
指先を当接させるために凹状に湾曲形成されていると共にその湾曲面に弧状の爪挿入溝が形成されていて、該爪挿入溝の奥部側下縁に切断刃が形成されている湾曲板状の固定刃部材と、該固定刃部材の裏面側に沿ってスライド昇降できるように湾曲面が形成されると共に該湾曲面の下縁に前記切断刃に対応する湾曲した切断刃を有し、スライド降下することにより前記爪挿入溝から突出する爪部分を剪断するようになっている可動刃部材とを備えていることを特徴とする爪切り器。
【請求項２】
固定刃部材が一方の操作アームを備えた爪切り本体部に設けられると共に可動刃部材が前記爪切り本体部にスライド昇降自在に装着されており、該可動刃部材をスライド降下させるために、先端部が前記爪切り本体部に軸支されると共に前記一方の操作アームと対峙するように配置されている他方の操作アームと、前記可動刃部材を常時上昇させておく方向に付勢するためのばね手段とを備えていることを特徴とする請求項１に記載の爪切り器。
【請求項３】
固定刃部材が爪切り本体部に対して脱着自在になっていることを特徴とする請求項１又は２に記載の爪切り器。
【請求項４】
爪切り本体部の内部に廃棄用開口部を備えた爪屑貯留部が設けられていることを特徴とする請求項１，２又は３のいずれかに記載の爪切り器。
【請求項５】
可動刃部材の切断刃の向きが固定刃部材の切断刃に対してやや斜めになっており、可動刃部材の降下により固定刃部材の切断刃の一端側から他端側に順次剪断されるようになっていることを特徴とする請求項１，２，３，又は４のいずれかに記載の爪切り器。
【請求項６】
爪挿入溝の入口側下縁から奥部側の切断刃に至る開口縁に傾斜面が形成され、爪挿入溝の奥部側が実質上狭くなっていることを特徴とする請求項１，２，３，４又は５のいずれかに記載の爪切り器。
【請求項７】
一方の操作アームと他方の操作アームの各後端部側には指挿入用の環状部が設けられていることを特徴とする請求項１，２，３，４，５又は６のいずれかに記載の爪切り器。
【発明の詳細な説明】
【０００１】
【発明の属する技術分野】
本発明は、爪切り器に係り、特に、目の不自由な人であっても容易に使用することができ、また、暗い環境での爪切りや子供の爪を切るに際しても深爪することなく安全確実に爪を切ることができる爪切り器に関するものである。
【０００２】
【従来の技術】
従来の一般的な爪切り器は、後端部が連結されて常時開放状態になるようにした二股状のレバーのそれぞれの先端をＬ字状に屈曲させて対向する爪切り部が形成され、該爪切り部を凹状に湾曲させると共に該爪切り部のそれぞれの先端には爪切り刃が形成され、一方（下方）のレバーに立設された支持ポールには押圧レバーの先端が軸支されており、該押圧レバーを押圧操作することにより、該押圧レバーに設けたカム部を介してテコの作用で前記他方のレバーを弾性的に閉じさせて上下の前記爪切り刃で爪を押し切るように構成したものである。なお、切られた爪屑の飛散を防止するために、前記一方及び他方のレバーの側面に飛散防止用のカバーを取り付けるようにしたものもある。
【０００３】
前記のような一般的な爪切り器においては、前記爪切り刃が水平に形成されているが、この爪切り刃を爪の上面の湾曲に対応させるように湾曲させて形成したものが提案されている（例えば、特許文献１）。
【０００４】
【特許文献１】
登録実用新案第３０７５１７９号公報
【０００５】
【発明が解決しようとする課題】
従来の爪切り器は、前記のように、上下の爪切り刃の間に爪先を挿入した状態で押圧レバーを押し下げて切断する形式であるため、切ろうとする爪の深さを目で確認しながら位置決めして使用する必要があり、目の不自由な人が使用することは極めて困難であった。
【０００６】
また、従来のものは上下の爪切り刃間が大きく開いているため指先端の肉部まで入ってしまい、目の不自由な人が使用する場合のみならず、暗い環境で使用する場合や子供の爪を切る場合等においても深爪したり肉部を損傷したりするおそれがあった。
本発明の目的は、従来の爪切り器の欠点を解消し、目の不自由な人であっても容易に使用することができ、また、暗い環境での爪切りや子供の爪を切るに際しても深爪することなく安全確実に爪を切ることができる爪切り器を提供することにある。
【０００７】
【課題を解決するための手段】
本発明に係る爪切り器は、請求項１に記載のものにおいては、
指先を当接させるために凹状に湾曲形成されていると共にその湾曲面に弧状の爪挿入溝が形成されていて、該爪挿入溝の奥部側下縁に切断刃が形成されている湾曲板状の固定刃部材と、該固定刃部材の裏面側に沿ってスライド昇降できるように湾曲面が形成されると共に該湾曲面の下縁に前記切断刃に対応する湾曲した切断刃を有し、スライド降下することにより前記爪挿入溝から突出する爪部分を剪断するようになっている可動刃部材とを備えていることを特徴とする。
【０００８】
この場合、請求項２に記載のように、固定刃部材を一方の操作アームを備えた爪切り本体部に設けると共に可動刃部材を前記爪切り本体部にスライド昇降自在に装着し、該可動刃部材をスライド降下させるために、先端部が前記爪切り本体部に軸支されると共に前記一方の操作アームと対峙するように他方の操作アームを配置し、前記可動刃部材を常時上昇させておく方向に付勢するためのばね手段とを設ける。
【０００９】
このように構成された爪切り器の使用に際しては、指先を固定刃部材の前面の湾曲面に沿わせて爪挿入溝を探り当てて爪先を該爪挿入溝に挿入することにより、切ろうとする爪部分だけを爪挿入溝から内方向に突出させることができ、この状態で、例えば、請求項２に記載したような構成であれば、一方及び他方の操作アームを閉じる方向に押圧することにより前記他方の操作アームで可動刃部材が押し下げられ、爪挿入溝から突出している爪部分を固定刃部材の切断刃と可動刃部材の切断刃とによって確実に剪断することができる。
【００１０】
このように、指先を固定刃部材の前面に沿わせて爪挿入溝を探り当てて爪先を該爪挿入溝に挿入する構成であるから、目の不自由な人でも容易に操作することができ、また、切ろうとする爪部分だけが爪挿入溝から突出して剪断されるから、極めて安全である。
【００１１】
前記固定刃部材を爪切り本体部に設けるに際し、該固定刃部材を爪切り本体部に固定した構成でもよいが、請求項３に記載のように、固定刃部材を爪切り本体部に対して脱着するような構成にすることが望ましい。このように固定刃部材を別部品とすることにより、刃物としての製作が容易であると共に固定刃部材を交換することができ、切断刃の切れ味が劣化した場合に交換することが可能であるのは勿論、例えば、固定刃部材を形成する金属板材の板厚が異なる固定刃部材を用意しておけば、この固定刃部材を交換することにより、切ろうとする爪の長さ（深さ）を選定することができる。
【００１２】
また、請求項４に記載のように、爪切り本体部の内部に廃棄用開口部を備えた爪屑貯留部を設けることができ、これにより爪屑の飛散を防止することができる。
【００１３】
前記可動刃部材としては、請求項５に記載のように、可動刃部材に形成される切断刃の向きが固定刃部材の切断刃に対してやや斜めになるようにすれば、可動刃部材の降下により爪を固定刃部材の切断刃の一端側から他端側に順次剪断することができ、爪切り操作時に前記可動刃部材を降下させるための前記他方の操作アームを小さな押圧力で操作することができる。
【００１４】
さらに、請求項６に記載のように、爪挿入溝の入口側下縁から奥部側の切断刃に至る開口縁に傾斜面を形成して、爪挿入溝の奥部側が実質上狭くなるようにすれば、指の先端が前記傾斜面に沿うこととなって、固定刃部材の板厚の影響を受けることなく、切ろうとする爪部分だけが爪挿入溝から後方に突出して確実に切断することができる。
【００１５】
なお、請求項７に記載のように、一方の操作アームと他方の操作アームの各後端部側に指挿入用の環状部を設ければ、鋏を操作する要領で爪切り器を操作することができる。
【００１６】
【発明の実施の形態】
本発明に係る爪切り器の実施の形態を図面に基づいて説明する。
図１は爪切り器の断面図、図２は爪切り本体部の斜視図、図３は固定刃部材の斜視図、図４は可動刃部材の斜視図、図５は可動刃部材の平面図、図６は可動刃部材の正面図、図７は爪切り本体部に固定刃部材及び可動刃部材を組み込んだ状態を示す斜視図、図８は上部カバーの斜視図、図９は下部カバーの斜視図、図１０は可動刃部材の切断刃が固定刃部材の切断刃に対して向きが変位している状態を透視状態で示す爪切り本体部の正面図、図１１は爪挿入溝の拡大断面図、図１２は爪先を爪挿入溝に挿入した状態を示す拡大断面図である。
【００１７】
図において、１０は爪切り器であり、指先Ｆを当接させるために凹状に湾曲形成されていると共にその湾曲面に弧状の爪挿入溝２３が形成されていて、該爪挿入溝２３の奥部側下縁に切断刃２４が形成されている湾曲板状の固定刃部材２と、該固定刃部材２の裏面側に沿ってスライド昇降できるように湾曲面３３が形成されると共に該湾曲面３３の下縁に前記切断刃２４に対応する湾曲した切断刃３４を有し、スライド降下することにより前記爪挿入溝２３から突出する爪部分ｎを剪断するようになっている可動刃部材３とを備えている。図１は前記可動刃部材３がやや押し下げられた状態を示す断面図である。
【００１８】
前記固定刃部材２は一方の操作アーム１４を備えた爪切り本体部１に脱着自在に設けられると共に可動刃部材３は前記爪切り本体部１にスライド昇降自在に装着され、該可動刃部材３をスライド降下させるために、先端部４１が前記爪切り本体部１に軸ピン４２で軸支されて前記一方の操作アーム１４と対峙するように他方の操作アーム４が配置され、前記可動刃部材を常時上昇させておく方向に付勢するためのばね手段５が設けられている。
【００１９】
前記の構成を詳述すると、爪切り本体部１は左右の側壁部１２，１２を備えた枠状部１１と該枠部１１の後部から後方に延出された前記一方の操作アーム１４とを備え、前記枠状部１１は前面部及び上面部が開口すると共に下面部の前半部分には上方から装着される前記固定刃部材２を支持するためのストッパー部１３が形成されており、前記下面部の後半部分は開口している。
【００２０】
前記左右の側壁部１２，１２の内面側には、前端側に前記固定刃部材２を挿入するためのガイド溝１２ａ，１２ａが対向して設けられ、その後方には前記可動刃部材３を昇降自在に保持するためのガイドリブ１２ｂ，１２ｂが縦設されている。
【００２１】
前記固定刃部材２は鋼材で形成され、湾曲板状部２１の両端には前記枠状部１１のガイド溝１２ａ，１２ａの溝幅に対応する肉厚の支持部２２が設けられている。前記湾曲板部２１の湾曲面は足の親指の先端に対応する程度の曲率で形成され、前記湾曲板状部２１には上方に湾曲する前記爪挿入溝２３が形成され、該爪挿入溝２３の奥部側下縁に切断刃２４が形成される。
【００２２】
前記爪挿入溝２３の断面形状としては、図１１の拡大断面図に示すように、爪挿入溝２３の入口側下縁２３ａから奥部側の切断刃２４に至る開口縁に傾斜面２３ｂを形成して、爪挿入溝２３の奥部側が実質上狭くなるようにする。これにより、図に示すように、指先Ｆが前記傾斜面２３ｂに沿うこととなって、固定刃部材２の板厚の影響を受けることなく、爪ｎの切ろうとする爪部分だけが爪挿入溝２３から後方に突出して確実に切断することができる。なお、前記爪挿入溝２３の入口側上縁には丸みをもたせることが望ましい。
【００２３】
前記固定刃部材２として、前記支持部２２の肉厚を変えないで前記湾曲板状部２１の板厚を変えたもの（図示しない）を用意しておいて、この固定刃部材２を適宜選択して使用することにより、切ろうとする爪部分の長さ（深さ）を選定することができる。なお、前記固定刃部材２の湾曲板状部２１の一部又は前記爪切り本体部１の枠状部１１の側面に爪研ぎ用のヤスリ部を設けておくことができる。
【００２４】
前記可動刃部材３は鋼材で形成され、図４に示すように、横長矩形のブロック体３１の前面側には前記固定刃部材２における湾曲板状部２１の裏面側に沿ってスライド昇降できるように湾曲面３３が形成されると共に該湾曲面３３の下縁に前記切断刃２４に対応する湾曲した切断刃３４が形成される。前記ブロック体３１の後部両サイドには前記爪切り本体部１のガイドリブ１２ｂ，１２ｂが嵌合するスライドガイド溝３２が形成されていて、該スライドガイド溝３２に前記ガイドリブ１２ｂ，１２ｂを嵌合させるようにして組み込むことにより、可動刃部材３は爪切り本体部１内で昇降することができる。
【００２５】
前記ブロック体３１の後部上面には前記他方の操作アーム４が当接係合する押し下げ用まくら部３５が設けられると共に、前記ブロック体３１の後端面には係合溝３６が形成されており、該係合溝３６に前記ばね手段５として設けられる板バネ５１の先端を係合させるようにしてある。
【００２６】
前記可動刃部材３の切断刃３４は、図６及び図１０に示すように、前記固定刃部材２の切断刃２４と同一の円弧を描くのではなく、その向きが固定刃部材２の切断刃２４に対してやや斜めになるように形成されている。これにより、可動刃部材３が降下してその切断刃３４と前記固定刃部材２の切断刃２４とで爪を切断するに際し、該固定刃部材２の切断刃２４の一端側から他端側に順次剪断することができ、爪切り操作時に前記可動刃部材３を降下させるための前記他方の操作アーム４を小さな押圧力で操作することができる。
【００２７】
前記他方の操作アーム４は、その先端部が前記爪切り本体部１における枠状部１１に軸ピン４１により軸支され、該他方の操作アーム４が前記可動刃部材３の押し下げ用まくら部３５に当接係合しており、該他方の操作アーム４を押し下げることにより前記可動刃部材３を弾性的に押し下げるようになっている。
【００２８】
前記可動刃部材３を常時上昇させておくためのばね手段５としては、板バネ５１の先端を前記可動刃部材３の係合溝３６に係合させると共に後端部を前記一方の操作アーム１４に固定してある。この構成により、前記可動刃部材３は弾性的に保持されて常時上昇する方向に付勢され、降下する方向にスライド自在となっている。
【００２９】
図において、６は爪切り本体部１の上面側に脱着自在に被せられる上部カバーであり、例えば、ゴム製や合成樹脂製とし、下面側に前記枠状部１１の内壁に係合する係合爪６ａを設けて前記爪切り本体部１の上面開口部に嵌着するような形式としてもよい。７は前記爪切り本体部１の底面側に設けられる底部カバーであり、この底部カバー７により爪切り本体部１の内部に爪屑貯留部１ａが形成され、該底部カバー７を取り外すことにより爪屑貯留部１ａに溜まった爪屑を廃棄できるようにする。この底部カバー７も前記上部カバー６と同様に、例えば、ゴム製や合成樹脂製とし、上面側に前記枠状部１１の内壁に係合する係合爪７ａを設けて前記爪切り本体部１の下面開口部に嵌着するような形式とすることができ、あるいは適宜な箇所に薄肉ヒンジ部を形成してその一部を開閉できるような構成としてもよい。
【００３０】
前記一方の操作アーム１４及び他方の操作アーム４は、従来の爪切り器のように、単にその後端部を押圧するようにしたものでもよいが、実施例ではより操作をし易いように、前記一方の操作アーム１４及び他方の操作アーム４の後端部側に指挿入用の環状部８，９を設けた。また、この環状部８，９は合成樹脂により別部材として成形したものを操作アーム１４，４にねじ止めするようにしたが、それぞれの操作アーム１４，４の後端を細長く形成してこれを環状に湾曲させてもよい。
【００３１】
以上のような構成の爪切り器を組み立てるに際しては、前記枠状部１１の上方から、該枠状部１１のガイド溝１２ａに前記固定刃部材２の支持部２２を嵌合させるようにして該固定刃部材２を組み込み、次に、前記枠状部１１の上方又は下方から、該枠状部１１のガイドリブ１２ｂに前記可動刃部材３のスライドガイド溝３２を嵌合させるようにして該可動刃部材３を組み込んで、該可動刃部材３の係合溝３６に前記板バネ５１の先端を係合させて保持させ、該板バネ５１の後端部を前記一方の操作アーム１４の後端部側にネジ５１ａで固定する。これにより前記可動刃部材３は弾性的に保持される。
【００３２】
次に、前記他方の操作アーム４の先端部４１を前記枠状部１１の側壁部１２の軸孔１２ｃに軸ピン４２で回転自在に軸支し、上部カバー６及び下部カバー７を前記枠状部１１の上下面開口部に嵌着して組み立てが完了する。
【００３３】
前記のように、板バネ５１の後端部をネジ５１ａで前記一方の操作アーム１４の後端部側に固定するように構成すれば、前記板バネ５１の取り外しが容易であり、前記可動刃部材３を交換することも可能となる。なお、前記ネジ５１ａは前記環状部８を前記一方の操作アーム１４に固定するためのネジとして兼用させるようにしてもよい。
【００３４】
以上のように構成された爪切り器１０を使用するには、指先Ｆを固定刃部材２の湾曲面に沿って上方からずらして爪挿入溝２３を探り当てて爪先を該爪挿入溝２３に挿入することにより、切ろうとする爪部分だけを爪挿入溝２３から内方向に突出させることができ、この状態で一方及び他方の操作アーム１４，４を閉じる方向に押圧することにより前記他方の操作アーム４で可動刃部材３が押し下げられ、爪挿入溝２３から突出している爪部分を固定刃部材２の切断刃２４と可動刃部材３の切断刃３４とによって確実に剪断することができる。前記固定刃部材２の湾曲面は全ての指の先端に対応できる曲面ではないから、指先を順次水平方向に回しながら爪を剪断する。
【００３５】
このように、指先を固定刃部材２の前面の湾曲面に沿わせて爪挿入溝２３を探り当てて爪先を該爪挿入溝２３に挿入する構成であるから、目の不自由な人でも容易に操作することができ、また、切ろうとする爪部分だけが爪挿入溝２３から突出して剪断されるから、極めて安全である。
【００３６】
【発明の効果】
本発明の爪切り器によれば、
請求項１に記載のものにおいては、指先を固定刃部材の前面の湾曲面に沿わせて爪挿入溝を探り当てて爪先を該爪挿入溝に挿入する構成であり、この状態で一方及び他方の操作アームを閉じる方向に押圧する操作だけであるから、目の不自由な人でも容易に操作することができ、また、切ろうとする爪部分だけが爪挿入溝から突出して剪断されるから、極めて安全である。
【００３７】
請求項２に記載のものにおいては、一方及び他方の操作アームを従来の爪切りと同様の要領で操作することができ、特別な操作を必要としない。
【００３８】
請求項３に記載のものにおいては、固定刃部材を爪切り本体部に対して脱着できるような構成であるから、固定刃部材を別部品とすることにより、刃物としての製作が容易であると共に固定刃部材を交換することができ、切断刃の切れ味が劣化した場合に交換することが可能であるのは勿論、例えば、固定刃部材を形成する金属板材の板厚が異なる固定刃部材を用意しておけば、この固定刃部材を交換することにより、切ろうとする爪の長さ（深さ）を選定することができる。
【００３９】
請求項４に記載のものにおいては、爪切り本体部の内部に廃棄用開口部を備えた爪屑貯留部が設けられているから、切られた爪屑の飛散を防止することができる。
【００４０】
請求項５に記載のものにおいては、可動刃部材に形成される切断刃の向きが固定刃部材の切断刃に対してやや斜めになるようなっているから、可動刃部材の降下により爪を固定刃部材の切断刃の一端側から他端側に順次剪断することができ、爪切り操作時に前記可動刃部材を降下させるための他方の操作アームを小さな押圧力で操作することができる。
【００４１】
請求項６に記載のものにおいては、爪挿入溝の入口側下縁から奥部側の切断刃に至る開口縁に傾斜面が形成されていて、爪挿入溝の奥部側が実質上狭くなるようになっているから、指の先端が前記傾斜面に沿うこととなって、固定刃部材の板厚の影響を受けることなく、切ろうとする爪部分だけが爪挿入溝から後方に突出して確実に切断することができる。
【００４２】
請求項７に記載のものにおいては、一方の操作アームと他方の操作アームの各後端部側に指挿入用の環状部が設けられているから、鋏を操作する要領で爪切り器を操作することができる。
【図面の簡単な説明】
【図１】爪切り器の断面図である。
【図２】爪切り本体部の斜視図である。
【図３】固定刃部材の斜視図である。
【図４】可動刃部材の斜視図である。
【図５】可動刃部材の平面図である。
【図６】可動刃部材の正面図である。
【図７】爪切り本体部に固定刃部材及び可動刃部材を組み込んだ状態を示す斜視図である。
【図８】上部カバーの斜視図である。
【図９】下部カバーの斜視図である。
【図１０】可動刃部材の切断刃が固定刃部材の切断刃に対して向きが変位している状態を透視状態で示す爪切り器本体の正面図である。
【図１１】爪挿入溝の拡大断面図である。
【図１２】爪先を爪挿入溝に挿入した状態を示す拡大断面図である。
【符号の説明】
１０                爪切り器
１                  爪切り本体部
１ａ                爪屑貯留部
１１                枠状部
１２                側壁部
１２ａ              ガイド溝
１２ｂ                            ガイドリブ
１２ｃ              軸孔
１３                ストッパー部
１４                一方の操作アーム
２                  固定刃部材
２１                湾曲板状部
２２                支持部
２３                爪挿入溝
２３ａ              入口側下縁
２３ｂ              傾斜面
２４                切断刃
３                  可動刃部材
３１                ブロック体
３２                スライドガイド溝
３３                湾曲面
３４                切断刃
３５                押し下げ用まくら部
３６                係合溝
４                  他方の操作アーム
４１                先端部
４２                軸ピン
５                  ばね手段
５１                板バネ
５１ａ              ネジ
６                  上部カバー
７                  底部カバー
８，９              環状部
Ｆ                  指先
ｎ                  爪
【図１】
2004313316.tif 000003
【図２】
2004313316.tif 000004
【図３】
2004313316.tif 000005
【図４】
2004313316.tif 000006
【図５】
2004313316.tif 000007
【図６】
2004313316.tif 000008
【図７】
2004313316.tif 000009
【図８】
2004313316.tif 000010
【図９】
2004313316.tif 000011
【図１０】
2004313316.tif 000012
【図１１】
2004313316.tif 000013
【図１２】
2004313316.tif 000014